(57)【特許請求の範囲】
【請求項１】
整列され複数枚の板状部材と、
両端に配置された板状部材の外側縁に突設された脱輪防止壁とを備えており、
隣接する上記板状部材同士が、互いに折りたたみ可能に連結されており、
上記両端に配置された板状部材の外側縁の少なくとも一方の端部側に、上記脱輪防止壁が形成されていない斜行通路部が設けられており、
この斜行通路部の長さが、上記両端に配置された板状部材の全長の２０％以上３０％以下とされている可搬式スロープ。
【請求項２】
上記両端に配置された板状部材の長手方向の一端部に、その端縁に沿って係合板が備えられており、上記斜行通路部が、両端に配置された板状部材における、上記係合板の備えられている端部側に形成されている請求項１に記載の可搬式スロープ。
【請求項３】
上記板状部材の長手方向の他端部に、その端縁に沿って滑り止めシートが備えられており、上記斜行通路部が、上記両端に配置された板状部材における、上記滑り止めシートの備えられている端部側に形成されている請求項１又は２に記載の可搬式スロープ。
【発明の詳細な説明】
【技術分野】
【０００１】
本発明は、段差の上下に掛け渡されうる可搬式のスロープに関する。例えば、鉄道車両の乗降口と駅ホームの路面との段差に掛け渡され、その上面を車いす等が通行しうる可搬式スロープに関する。
【背景技術】
【０００２】
鉄道車両、バス等の乗降口と、駅のホーム等の路面との間に掛け渡され、車いす等の通行に供される可搬式のスロープがよく知られている。このようなスロープの例として、特開２００２−９７７６８公報、特開２００３−１８４２４９公報にそれぞれ携帯用スロープが開示されている。
【０００３】
また、特開２０１０−２１６１７９公報には、発光装置を備えた渡し板が開示されている。この渡し板は、ヒンジによって折りたたみ可能に連結された複数枚の板部材から構成されている。複数枚の板部材のうち、左右両端に配置された板部材の各外側面に、ＬＥＤからなる上記発光装置が設けられている。この発光装置が点灯されることにより、遠くからでも、この渡し板が現在使用中であることが判断できる、というものである。
【０００４】
スロープの他の例として、特許第４６７５２１１号公報に電車乗降用スロープが開示されている。このスロープは、シート部材によって折りたたみ可能に連結された複数枚の板状部材から構成されている。複数枚の板状部材のうち、左右両端に配置された板部材の上面における各外側端には、脱輪防止壁が突設されている。板状部材の上面を外側端方向に斜行した車いすの車輪は、上記脱輪防止壁に当接し、板状部材からの脱輪が防止されるというものである。特開２００３−２３０６００公報にも、脱輪防止壁を備えた携帯用スロープが開示されている。
【０００５】
上記特開２０１０−２１６１７９公報に開示された渡し板は、その板部材の外側面に形成された凹部内にＬＥＤが取り付けられている。渡し板の使用中に、このＬＥＤが発光した場合、渡し板の側方からは光がよく視認されうる。渡し板の側方の遠くからはよく視認されうる。しかしながら、後方からは見えにくい。及び、渡し板上の車いすを押し操作している人からも見えにくい場合がある。
【先行技術文献】
【特許文献】
【０００６】
【特許文献１】特開２００２−９７７６８公報
【特許文献２】特開２００３−１８４２４９公報
【特許文献３】特開２０１０−２１６１７９公報
【特許文献４】特許第４６７５２１１号公報
【特許文献５】特開２００３−２３０６００公報
【発明の概要】
【発明が解決しようとする課題】
【０００７】
本発明は、かかる現状に鑑みてなされたものであり、使用中のスロープが発光する光が広い範囲から視認され、車いす等の脱輪が効果的に防止されうる可搬式スロープを提供することを目的としている。
【課題を解決するための手段】
【０００８】
本発明に係る可搬式スロープは、
整列された複数枚の板状部材と、
両端に配置された板状部材の外側部に突設された脱輪防止壁と、
この脱輪防止壁に設けられた発光装置とを備えており、
隣接する上記板状部材同士が、互いに折りたたみ可能に連結されている。
【０００９】
かかる可搬式スロープによれば、その上面を移動する車いす等の脱輪が防止され、且つ、広い範囲から発光装置の光が視認されうる。
【００１０】
上記発光装置が、発光素子、及び、発光装置用の電源としての蓄電池を有するのが好ましい。
【００１１】
上記脱輪防止壁が、板状部材の外側縁に沿って形成されており、上記発光装置の発光素子が、脱輪防止壁の長手方向に沿って取り付けられているのが好ましい。
【００１２】
板状部材の外側縁の少なくとも一端部側に、上記脱輪防止壁が形成されていない斜行通路部が設けられているのが好ましい。
【発明の効果】
【００１３】
本発明に係る可搬式スロープは、車いす等の脱輪防止、スロープ自体の軽量化、使用時の視認範囲の拡大が可能となる。
【図面の簡単な説明】
【００１４】
【図１】図１は、本発明に係る可搬式スロープの一実施形態を示す平面図である。
【図２】図２は、図１の可搬式スロープの側面図である。
【図３】図３は、図１の可搬式スロープの正面図である。
【図４】図４は、図１の可搬式スロープにおける、脱輪防止壁及び発光装置の一部分を示す斜視図である。
【発明を実施するための形態】
【００１５】
以下、適宜図面が参照されつつ、好ましい実施形態に基づいて本発明が詳細に説明される。
【００１６】
図１から図４に示された可搬式スロープ（以下、単にスロープとも言う）１は三枚の板状部材２を備えている。各板状部材２は矩形状を呈している。板状部材２は一列に整列された状態で連結されている。隣接する板状部材２同士は、シート部材３等によって折りたたみ可能に連結されている。板状部材２の枚数は３枚には限定されない。連結手段としては、シート部材３には限定されず、各種ヒンジが採用されうる。左右両端に配置された板状部材２Ｌ、２Ｒの外側面には、持ち運びのためのハンドル１６が取り付けられている。
【００１７】
板状部材２は、例えば、発泡ポリウレタンからなる芯材に、カーボン繊維及びガラス繊維に樹脂が含浸されたプリプレグが巻き付けられたものが、プレス成型されることにより形成される。板状部材２の材料は、かかる材料には限定されず、例えば、アルミ合金等が用いられてもよい。板状部材２の表面には、滑り止めのためにゴムシート等が貼着されるのが好ましい。上記シート部材３としては、ナイロン布等が用いられる。上記ハンドル１６の材料としてナイロンが採用されている。以上の材料は一例であり、これらに限定されない。
【００１８】
左右両端に配置された板状部材２Ｌ、２Ｒの上面の外側縁には、脱輪防止壁４が突設されている。この脱輪防止壁４は、板状部材２Ｌ、２Ｒの外側縁に沿って形成されている。この脱輪防止壁４は、板状部材２Ｌ、２Ｒと一体に成型されたものであってもよい。又は、板状部材２Ｌ、２Ｒとは別の部材として、板状部材２Ｌ、２Ｒにリベット等によって取り付けられてもよい。本実施形態では、脱輪防止壁４の板状部材２の上面からの高さは、約１３ｍｍとされているが、かかる寸法には限定されない。スロープ１の上面を外側端方向に斜行した車いすの車輪は、この脱輪防止壁４に当接し、スロープ１からの脱輪が防止される
【００１９】
脱輪防止壁４は、板状部材２Ｌ、２Ｒの外側縁の全長にわたって形成されてもよい。しかし、本実施形態では、図１及び図２に示されるように、外側縁の、長手方向の少なくとも一端の近傍には脱輪防止壁４が形成されていない。これは、車いすは、スロープ１に乗り入れるとき、又は、スロープ１から降りるとき、進行方向をやや側方に傾斜することがあるからである。スロープ１の端部においては、車いすの車輪がスロープ１の側部から外れても大きな問題はない。逆に、車いすがやや斜行してスロープ１に乗降しうるほうが便利である場合が多い。この脱輪防止壁４が形成されていない部分は、斜行通路部５という。本実施形態では、この斜行通路部５が、板状部材２Ｌ、２Ｒの後端側（段差で言う下段側）に設けられている。前端側にのみ設けられてもよく、前後両端側に設けられてもよい。
【００２０】
本実施形態では、板状部材２Ｌ、２Ｒの長さは約８２２ｍｍである。後述の係合板８を含めれば８６２ｍｍである。三枚の板状部材２が開かれたときのスロープ１の全幅寸法は８６２ｍｍである。そして、上記斜行通路部５の長さの、板状部材２Ｌ、２Ｒの全長に対する割合範囲は、２０％以上３０％以下とされている。本実施形態では、斜行通路部５の長さは２００ｍｍである。以上の寸法は一例であり、これらに限定されることはない。
【００２１】
左右両端の板状部材２Ｌ、２Ｒは、その上に車いす等の車輪が乗るため、相当の強度が必要である。この板状部材２Ｌ、２Ｒは、脱輪防止壁４が形成されているため、曲げ剛性が大幅に向上する。その結果、板状部材２Ｌ、２Ｒの平均厚さは、脱輪防止壁４が形成されていない板状部材より薄くされうる。本実施形態における板状部材２Ｌ、２Ｒの平均厚さは約１２ｍｍとされている。従来のスロープの板厚は約２０ｍｍである。このように、本実施形態のスロープ１は、従来のスロープと比較して、その板厚が相当薄くされうる。本実施形態のスロープ１は大幅に軽量化されうる。本実施形態のスロープ１は、約５．２ｋｇに仕上がっている。しかし、上記１２ｍｍという寸法、約５．２ｋｇと言う重量には限定されない。
【００２２】
図１及び図２に示されるように、左右両端の板状部材２Ｌ、２Ｒの長手方向の一端部には、その端縁に沿って、アルミ合金等からなる係合板８が取り付けられている。この係合板８の下面には、係合突条９が突設されている。各板状部材２の長手方向の他端部には、その端縁に沿って、ゴム等からなる滑り止めシート１０（図３では図示省略）が取り付けられている。このスロープ１が段差に掛け渡される際、上記係合突条９が例えば鉄道車両のドアレール等の上段に係合され、上記滑り止めシート１０が例えば駅のホーム等の下段に押圧される。このようにして、スロープ１は、安定した状態で段差に設置されうる。
【００２３】
中央の板状部材２Ｃには、係合板８が取り付けられていない。その結果、スロープ１の一端部の中央部分は凹部６が形成される。この凹部６は、スロープ１が鉄道車両への乗降用に用いられるときに有用である。この凹部６は、鉄道車両の乗降口の床面のドアストッパとの干渉を回避しうるからである。従って、ドアストッパとの干渉の可能性がない用途の場合、この凹部６が形成される必要はない。
【００２４】
図４も併せて参照すれば明らかなように、上記各脱輪防止壁４には発光装置７が設けられている。この発光装置７は、多数個の発光ダイオード（ＬＥＤ）１１、ＬＥＤ１１用の電源としての蓄電池１２、及び、ＬＥＤ１１のオンオフ用のスイッチ１３を有している。本実施形態では、１つの発光装置７に４５個のＬＥＤ１１が取り付けられている。しかし、この個数には限定されない。４５個のＬＥＤ１１の定格電圧は７．２Ｖであり、消費電流は約２３８ｍＡであり、消費電力は約２．１６Ｗである。このように、省電力の発光装置である。しかし、上記仕様には限定されない。このＬＥＤ１１は、スイッチ１３を介して蓄電池１２に電気的に接続されている。上記蓄電池１２は、充電用の接続端子１４を有している。発光装置７の光源としては、ＬＥＤ１１には限定されず、小型白熱灯、蛍光灯等が用いられてもよい。また、必要に応じて蛍光塗料が塗布された反射板が用いられてもよい。
【００２５】
本実施形態では、ＬＥＤ１１は、一部又は全部が透明のアクリル板から形成された直方体状のケース１５内に収容されている。このケース１５は、脱輪防止壁４の長手方向に沿って、脱輪防止壁４よりわずかに短い長さを有している。ケース１５は、脱輪防止壁４の外側の面にリベット等によって固定されている。ケース１５内には、多数個のＬＥＤ１１が、ケース１５の長手方向に沿って整列されている。このケース１５の横断面は長方形である。ケース１５の高さは約２５〜３６ｍｍの範囲である。ケース１５の上端は、脱輪防止壁４の上端よりわずかに上方に位置している。ケース１５の少なくとも外側面及び上面が透明とされることにより、ＬＥＤ１１の光は、側方、上方、前方、後方の各方向から容易に視認される。もちろん、ケースの前後両端及び／又は内側面も透明にされてもよい。
【００２６】
ケース１５は、箱形のものに限定されない。例えば、長尺の板状部材に多数個のＬＥＤ１１が長手方向に沿って整列され、これに透明のカバーが装着されたものでもよい。また、上記脱輪防止壁４の外側面及び／又は上端面に、多数個のＬＥＤ１１が長手方向に沿って整列され、これに透明のカバーが装着されたもの等であってもよい。
【００２７】
ＬＥＤ１１はスイッチ１３の操作により、スロープ１の使用時には点灯、不使用時には消灯とすることができる。蓄電池１２の充電は、充電用アダプタ（図示せず）の、一方のプラグが蓄電池１２の接続端子１４に接続され、他方のプラグが電源コンセント（図示せず）に接続されて行われる。充電用アダプタとしては、例えば株式会社マキタ製のＤＣ７０２０が安価で入手容易である。約３時間の充電により、上記ＬＥＤ１１は約２時間半から約３時間程度の点灯が可能である。この充電用アダプタは、ケース１５内に装着されていてもよい。
【００２８】
完成した上記スロープ１は、「車いす用可搬型スロープ」について規定するＪＩＳ規格Ｔ９２０７に従って、耐荷重、たわみ量、耐久性、固定性能、走行面滑り止め性能等が検査され、その基準を満たす。
【００２９】
上記脱輪防止壁４を備えることにより、左右両端の板状部材２Ｌ、２Ｒの曲げ剛性が大幅に向上する。これにより、スロープ１の重量の低減も可能となる。その結果、このスロープ１は、鉄道の駅で使用される場合、女性駅員によっても簡単に持ち運ぶことが可能となる。
【００３０】
本実施形態では、発光装置７が脱輪防止壁４とは別体として形成されているが、かかる構成には限定されない。例えば、脱輪防止壁が板状部材２Ｌ、２Ｒとは別体に形成され、この脱輪防止壁が発光機能を備えてもよい。換言すれば、発光装置が脱輪防止機能を備えてもよい。具体的には、発光装置７の上記ケース１５の一側板（板状部材側の側板）が板状部材２と同等の強固な材料から形成され、この一側板がリベット等によって板状部材２Ｌ、２Ｒに固定される。かかる構成によれば、上記一側板が脱輪防止壁として機能しうる。
【産業上の利用可能性】
【００３１】
本発明に係る可搬式スロープは、鉄道車両の乗降口と駅のホームとの車いす用連絡通路、階段における車いす用通路等にも適用しうる。
【符号の説明】
【００３２】
１・・・可搬式スロープ
２、２Ｌ、２Ｒ・・・板状部材
３・・・シート部材
４・・・脱輪防止壁
５・・・斜行通路部
６・・・凹部
７・・・発光装置
８・・・係合板
９・・・係合突条
１０・・・滑り止めシート
１１・・・ＬＥＤ
１２・・・蓄電池
１３・・・スイッチ
１４・・・接続端子
１５・・・ケース
１６・・・ハンドル
【図１】
0005944976.tif 000002
【図２】
0005944976.tif 000003
【図３】
0005944976.tif 000004
【図４】
0005944976.tif 000005